(57)【要約】【課題】十分な装飾効果が得られると共に、放散器本体を単純な形状とすることができる送風式の薬剤放散装置とする。【解決手段】放散器本体２に送風機３と薬剤４を設け、その送風機３を駆動することで吸込口５から空気を吸い込み、その空気は薬剤４に接して放出口６から放出される送風式の薬剤放散器１とし、この薬剤放散器１の使用状態の時に最も目立つ面に装飾物１０を固着手段１１で固着した送風式の薬剤放散装置であり、その装飾物１０によって十分な装飾効果が得られると共に、放散器本体２を単純な形状とすることができる。【選択図】図３
2007175091.tif 000002
【特許請求の範囲】
【請求項１】
送風式の薬剤放散器１と装飾物１０を備え、
前記薬剤放散器１は、放散器本体２に送風機３と薬剤４を取付け、その送風機３を駆動することで吸込口５から空気を吸い込んで薬剤４に接して放出口６から放出するものとし、
前記放散器本体２の面に装飾物１０を固着手段１１で固着したことを特徴とする送風式の薬剤放散装置。
【請求項２】
放散器本体２における使用状態で最も目立つ面に装飾物１０を固着し、この面以外の面に吸込口５、放出口６を形成した請求項１記載の送風式の薬剤放散装置。
【請求項３】
送風式の薬剤放散器１と装飾物１０を備え、
前記薬剤放散器１は、放散器本体２に送風機３と薬剤４を取付け、その送風機３を駆動することで吸込口５から空気を吸い込んで薬剤４に接して放出口６から放出するものとし、
前記放散器本体２に装飾物取付部２０を設け、
前記装飾物１０に被取付部１３を設け、この被取付部１３と前記装飾物取付部２０が係脱自在とすることで放散器本体２に装飾物１０を着脱自在に取付けたことを特徴とする送風式の薬剤放散装置。
【請求項４】
送風式の薬剤放散器１と装飾物１０を備え、
前記薬剤放散器１は、放散器本体２に送風機３と薬剤４を取付け、その送風機３を駆動することで吸込口５から空気を吸い込んで薬剤４に接して放出口６から放出するものとし、
前記放散器本体２に、上面が開口した凹陥部２５，４２を有するポケット形状の装飾物取付部２０を設け、
この装飾物取付部２０に、装飾物１０を挿入して取付けるようにしたことを特徴とする送風式の薬剤放散装置。
【請求項５】
送風式の薬剤放散器１と装飾物１０を備え、
前記薬剤放散器１は、放散器本体２に送風機３と薬剤４を取付け、その送風機３を駆動することで吸込口５から空気を吸い込んで薬剤４に接して放出口６から放出するものとし、
前記放散器本体２に着脱自在に取付けられる装飾物取付部材３０に、前記装飾物１０を設け、
この装飾物取付部材３０を放散器本体２に取付けたことを特徴とする送風式の薬剤放散装置。
【発明の詳細な説明】
【技術分野】
【０００１】
本発明は、送風式の薬剤放散器と装飾物を組み合わせた送風式の薬剤放散装置に関する。
【背景技術】
【０００２】
居住空間において、その空間の芳香、消臭、害虫防除などの目的で使用される送風式の薬剤放散器が知られている。
例えば、特許文献１に開示されたように、放散器本体内にファンと薬剤を設け、そのファンを駆動することで薬剤を含む空気を大気に放散するようにした送風式の薬剤放散器が知られている。
【０００３】
【特許文献１】特開２００３−１０２３６１号公報
【発明の開示】
【発明が解決しようとする課題】
【０００４】
快適な居住空間を得るには、芳香等の薬剤効果を得ると共に、その空間に装飾効果を得て雰囲気を変えることも重要なことである。
しかし、従来の送風式の薬剤放散器は機械的な外観を有するもので、その空間に不釣り合いで違和感を否めないばかりか、前述の装飾効果が期待できない。
このようなことから、前述の薬剤放散器の放散器本体の形状を変えたり色を変えたり、カラーデザインを付与するなどして前述の装飾効果を得ようとしているが、このようにしただけでは、薬剤放散器自身の雰囲気を改良することはできても空間としての雰囲気を変えるに不充分で、十分な装飾効果が得られない。
これらのことから、放散器本体自体を装飾効果が得られる形状とすることが考えられるが、そのようにすると放散器本体の形状が複雑化して、その製作金型は高精度化、大型化になりやすい。また製作工程が多くなりやすい。
【０００５】
本発明の目的は、送風式の薬剤放散器の放散器本体を単純な形状として十分な装飾効果が得られるようにした送風式の薬剤放散装置を提供することである。
【課題を解決するための手段】
【０００６】
第１の発明は、送風式の薬剤放散器１と装飾物１０を備え、
前記薬剤放散器１は、放散器本体２に送風機３と薬剤４を取付け、その送風機３を駆動することで吸込口５から空気を吸い込んで薬剤４に接して放出口６から放出するものとし、
前記放散器本体２の面に装飾物１０を固着手段１１で固着したことを特徴とする送風式の薬剤放散装置である。
【０００７】
第２の発明は、第１の発明において、放散器本体２における使用状態で最も目立つ面に装飾物１０を固着し、この面以外の面に吸込口５、放出口６を形成した送風式の薬剤放散装置である。
【０００８】
第３の発明は、送風式の薬剤放散器１と装飾物１０を備え、
前記薬剤放散器１は、放散器本体２に送風機３と薬剤４を取付け、その送風機３を駆動することで吸込口５から空気を吸い込んで薬剤４に接して放出口６から放出するものとし、
前記放散器本体２に装飾物取付部２０を設け、
前記装飾物１０に被取付部１３を設け、この被取付部１３と前記装飾物取付部２０が係脱自在とすることで放散器本体２に装飾物１０を着脱自在に取付けたことを特徴とする送風式の薬剤放散装置である。
【０００９】
第３の発明における被取付部１３と装飾物取付部２０としては、取付用突起１４と穴２２、リング枠１５と突出凸部２３、鉤片１６とコ字状片２４の組み合わせが考えられる。
【００１０】
第４の発明は、送風式の薬剤放散器１と装飾物１０を備え、
前記薬剤放散器１は、放散器本体２に送風機３と薬剤４を取付け、その送風機３を駆動することで吸込口５から空気を吸い込んで薬剤４に接して放出口６から放出するものとし、
前記放散器本体２に、上面が開口した凹陥部２５，４２を有するポケット形状の装飾物取付部２０を設け、
この装飾物取付部２０に、装飾物１０を挿入して取付けるようにしたことを特徴とする送風式の薬剤放散装置である。
【００１１】
第４の発明における凹陥部２５は放散器本体２に一体的に設けることができるし、この凹陥部４２は放散器本体２の外周面と筒体４１の外向湾曲部４０とで形成することもできる。
【００１２】
第５の発明は、送風式の薬剤放散器１と装飾物１０を備え、
前記薬剤放散器１は、放散器本体２に送風機３と薬剤４を取付け、その送風機３を駆動することで吸込口５から空気を吸い込んで薬剤４に接して放出口６から放出するものとし、
前記放散器本体２に着脱自在に取付けられる装飾物取付部材３０に、前記装飾物１０を設け、
この装飾物取付部材３０を放散器本体２に取付けたことを特徴とする送風式の薬剤放散装置である。
【００１３】
第５の発明における装飾物取付部材３０は、放散器本体２０に嵌合するカバー体３３、筒状体３４とすることができる。
【発明の効果】
【００１４】
請求項１，３，４，５に係る発明によれば、装飾物１０によって十分な装飾効果が得られるし、放散器本体２を単純な形状とすることができる。
【００１５】
請求項２に係る発明によれば、装飾物１０が使用時に最も目立つことになるから装飾効果がより一層十分なものになる。
また、吸込口５、放出口６を流通する空気が装飾物１０によって流れが阻害されないようにできる。
【発明を実施するための最良の形態】
【００１６】
本発明の第１の実施の形態を図１〜図４に基づいて説明する。
送風式の薬剤放散器１と装飾物１０で送風式の薬剤放散装置とする。
前記薬剤放散器１は放散器本体２を備えている。
この放散器本体２における使用状態で最も目立つ面、この実施の形態では前面２ａに装飾物１０が固着手段１１で固着してある。
この装飾物１０は、前述の前面２ａの全てを覆って意匠性を向上するものが最も好ましいが、前面２ａの一部分を覆うようにしても良い。
前記固着手段１１は接着剤、両面テープ、溶着、ビス固定などである。この実施の形態では接着剤としてある。
【００１７】
前記装飾物１０は放散器本体２の前面２ａに直接固着しても良いが、図示のように装飾物１０の裏面に取付部材１２を設け、この取付部材１２を固着するようにしても良い。
このようにすれば、装飾物１０の裏面が凹凸で固着しづらい場合でもしっかりと固着することができるし、取付部材１２に複数の装飾物１０を設けることで、複数の装飾物１０を放散器本体２の前面２ａに固着できる。
【００１８】
前記送風式の薬剤放散器１の具体形状の一例を説明する。
前記薬剤放散器１は、放散器本体２内に送風機３と薬剤４を設け、その送風機３を駆動することで放散器本体２の吸込口５から空気を吸い込み、その空気を薬剤４に接して放出口６から放出するもので、その放出口６から放出される空気には薬剤（薬効成分）が含有する。
【００１９】
前記吸込口５、放出口６は、前述の装飾物１０を固着した面以外の面に形成し、空気の流れが装飾物１０によって阻害されないようにしてある。
この実施の形態では、放散器本体２の裏面２ｂを開口して吸込口５とし、周面２ｃに放出口６が形成してある。
そして、放散器本体２は壁などの縦面Ａに取付けて使用するが、その裏面２ｂが縦面Ａに接して閉塞されて空気を吸い込みできない恐れがあるので、周面２ｃに裏面２ｂに開口した切欠部７を形成し、この切欠部７と縦面Ａとの間から空気を吸い込みできるようにしてある。
【００２０】
前記薬剤４は容器４ａにシート状の薬剤含浸体４ｂを設け、押えリング４ｃで保持したもので、この薬剤４は放散器本体２内に挿入、抜き出し自在なカセット８の薬剤収納部８ａに着脱自在に設けてあり、このカセット８は放散器本体２を縦面Ａに取付けた状態で下方に引き出し可能である。このカセット８は電池収納室８ｂを有し、電池９が収納してある。
前記容器４ａ、押えリング４ｃは空気流通孔４ｄを有し、前記カセット８の薬剤収納部８ａに空気流通孔８ｃが形成されている。
これによって、切欠部７から吸込口５に吸い込まれた空気は、空気流通孔８ｃ，４ｄを通って送風機３の吸込側まで流れる。
【００２１】
次に、本発明の第２の実施の形態を説明する。
図５〜図７に示すように、放散器本体２の使用状態で最も目立つ面、例えば前面２ａに装飾物取付部２０を設ける。
前記装飾物取付部２０は、前面２ａに筒体２１を一体的に設けて穴２２を形成したものである。なお、筒体２１は前面に接着又はビス止めなどで取付けても良い。
前記装飾物１０に、前述の装飾物取付部２０に着脱自在な被取付部１３を設ける。例えば、装飾物１０に取付用突起１４を設け、この取付用突起１４を前記穴２２に嵌合して取付ける。
この実施の形態の薬剤放散器１は、前述の第１の実施の形態の薬剤放散器と同一であり、各部材の符号を同一として説明を省略する。
【００２２】
また、前述の第１の実施の形態に示した取付部材１２に被取付部１３を設けるようにしても良い。
【００２３】
前記装飾物取付部２０と被取付部１３は前述のように穴２２と取付用突起１４に限ることはない。
例えば、図８（ａ）に示すように突出凸部２３とリング枠１５として、リング枠１５を突出凸部２３に嵌合して取付けるようにしても良い。このようにすれば、装飾物１０が花輪などの環状形状の場合に好ましい。
また、図８（ｂ）に示すようにコ字状片２４と鉤片１６とし、その鉤片１６をコ字状片２４と前面２ａとの間に挿入して取付けるようにしても良い。
また、図示していないが、装飾物取付部２０、被取付部１３にマジックテープ（登録商標）や磁石を備え、取付けるようにしても良い。
また、複数の装飾物取付部２０（例えば、寸法の異なる大小の筒体２１）を設ける、或いは違う形状の装飾物取付部２０（例えば、中央にコ字状片２４、それを囲む大きな筒体２１）を組み合わせて設けても良い。このことにより、いろいろな装飾物１０を取付けることが可能となり、時々装飾物１０を変えて空間の雰囲気をイメージチェンジできる楽しさがある。
また、装飾物取付部２０は、１箇所でなく複数設け１つの装飾物取付部としても良い。また、中央に限らず上下に設けても良い。これらは装飾物１０の種類などによって決めれば良い。
【００２４】
次に、本発明の第３の実施の形態を説明する。
図９と図１０に示すように、放散器本体２の前面２ａと左右の側面２ｄの下部寄りに装飾物取付部２０をそれぞれ設ける。
この装飾物取付部２０は上面が開口した凹陥部２５を有するポケット形状で、装飾物１０を差し込んで着脱自在に取付ける。
この装飾物取付部２０は、図９に仮想線で示すように造花などの装飾物１０を差し込んで取付けるので、その装飾物１０が長い場合には装飾物取付部２０よりも上方位置に支持部２６を設け、この支持部２６に長い装飾物１０の上部寄りが接して倒れないように支持する。
【００２５】
前記装飾物取付部２０は放散器本体２の前面２ａ、左右の側面２ｄにそれぞれ設けたが、いずれか１つの面又は複数の面にのみ設けても良い。
前記装飾物取付部２０は上面が開口した凹陥部２５を有するポケット形状で、幅広いものであるが、幅狭い凹陥部２５を有する装飾物取付部２０を１つの面に複数設けるようにしても良いし、幅狭い凹陥部２５を有する装飾物取付部２０を１つの面に１つ設けても良い。
つまり、凹陥部２５を有するポケット形状の装飾物取付部２０は、放散器本体２の使用状態で最も目立つ面に設けることが好ましいが、その面と他の面に設けても良いし、他の面にのみ設けても良い。
ただし、吸込口５、放出口６からの空気の流れを阻害しないように設けることが必要である。
前記装飾物取付部２０と前述の第２の実施の形態で説明した装飾物取付部２０とを組み合わせて設けることもできる。例えば、放散器本体２の左右の側面２ｄに凹陥部２５、前面２ａに筒体２１を設け、種類の異なる装飾物を取付けても良い。
【００２６】
次に、本発明の第４の実施の形態を説明する。
図１１〜図１３に示すように、装飾物取付部材３０を放散器本体２に着脱自在に取付け、この装飾物取付部材３０に装飾物１０を取付ける。
前記装飾物取付部材３０は前面板３１と周面板３２で下面と後面が開口し、かつ放散器本体２の電池収納室の部分を除く形状と同一のカバー体３３とする。
そして、前面板３１の表面３１ａを平坦面として第１の装飾物取付部分３０−１とし、周面板３２の外面２ヶ所を第２・第３の装飾物取付部分３０−２，３０−３とする。
【００２７】
前記第１の装飾物取付部分３０−１にはシート状の装飾物１０を貼着して取付ける。シート状の装飾物１０としては、例えば、家族やペットやアイドルなどの写真、その他、絵、カレンダーなどである。
前記第２・第３の装飾物取付部分３０−２，３０−３には、例えば犬、ネコ、小鳥などの動物模型や動物ぬいぐるみなどの装飾物１０を取付ける。
【００２８】
このようにすれば、カバー体３３を放散器本体２に嵌合して取付けることで、放散器本体２の正面と上面の左右に装飾物１０を設けた見栄えの良いものにできる。
【００２９】
この実施の形態の放散器本体２は図１３に示すように、電池収納室８ｂを一体的に有し、かつ後面２ｂに開口したカートリッジ収納部２ｉを有する形状である。
カートリッジ８は薬剤収納部８ａのみを有する形状で、その薬剤収納部８ａに薬剤４を前述のようにして収納し、そのカートリッジ８をカートリッジ収納部２ｉに嵌合して取付ける。
前記放散器本体２の周面には突起２ｅが設けてあり、前カバー体３３の周面板３２の内面に形成した凹部３２ａが前記突起２ｅに嵌合することでカバー体３３が外れないようにしている。
前記カバー体３３の周面板３２には孔３２ｂが形成され、この孔３２ｂは放出口６と連通して空気が外部にスムーズに放出されるようにしてある。
また、図１２に示すように放散器本体２の周面２ｃに裏面２ｂに開口した多数の小穴２ｊを形成してある。例えば、放散器本体２を片隅において壁などの縦面Ａに接して置いて使用しても、この小穴２ｊから空気を吸い込みできる。
【００３０】
前述の第１〜第４の実施の形態の薬剤放散器１は、その放散器本体２は裏面２ｂを縦面Ａに接して取付ける縦面取付け使用タイプであり、その放散器本体２の前面２ａを閉塞し、裏面２ｂを開口して吸込口５とし、周面２ｃに放出口６を形成してあるので、その前面２ａに装飾物１０を取付けても空気の流れを阻害することがない。また、裏面２ｂに切欠部７を形成して吸込口５に空気を吸い込みできるようにしてある。
【００３１】
次に、本発明の第５の実施の形態を説明する。
図１４、図１５に示すように、装飾物取付部材３０を放散器本体２の上面２ｆに嵌合して着脱自在に取付けられる筒状体３４としてある。
例えば、放散器本体２の上面２ｆに電池収納室用の突出部２ｇを形成し、この突出部２ｇに嵌合する筒体３５と上板３６で筒状体３４とする。
前記筒状体３４の上面に、ダルマ、鳥の置物、動物模型などの立体的な装飾物１０を設ける。
【００３２】
つまり、前述の実施の薬剤放散器１は、放散器本体２をテーブル、玄関のゲタ箱上面などの横面Ｂに載置して使用するタイプで、その上面２ｆに装飾物１０を取付けることで、その装飾物が目立つので意匠性に優れたものにできる。
また、筒状体３４の上面が使用状態で水平面となるので、前述した立体的な装飾物を安定して取付けできる。
この場合の放散器本体２は下面が開口して吸込口５を形成しているから、下面まで連続して切欠部７を形成して空気が吸込口５に吸い込まれるようにしてある。
また、薬剤４は下面に開口した薬剤収納部８ａに下から挿入して収納してあるので、押え用リング２ｈを螺合などで取付けて薬剤４が落下しないようにしてある。
【００３３】
前記筒状体３４は、筒体３５のみでも良い。また、上面に凹部を有する形状でも良く、このようにすれば凹部に装飾物１０を嵌合して取付けできる。
また、筒状体３４は突出部２ｇに嵌合するのではなく、その突出部２ｇと上面２ｆの外周縁とに亘って嵌合して取付ける形状、突出部２ｇの上面に接すると共に、上面２ｆの外周縁に嵌合する形状、突出部２ｇが嵌合すると共に、上面２ｆに接するリング形状、突出部２ｇに嵌合する部分の外周縁に上向き皿形状のリング形状部を有する形状などでも良い。
【００３４】
次に、本発明の第６の実施の形態を説明する。
図１６、図１７に示すように、放散器本体２の外周面に、周方向に間隔を置いて複数の外向湾曲部４０を有する筒体４１を嵌め込んで取付け、その外向湾曲部４０と放散器本体２の外周面で上面が開口した凹陥部４２を形成し、ポケット形状の装飾物取付部２０とする。
そして、この凹陥部３５に装飾物１０を挿入して取付ける。
【００３５】
なお、前述の筒体４１の外向湾曲部４０の下部を、筒体４１の下面よりも下方に突出した形状とし、その外向湾曲部４０の下部を横向面Ｂに接して使用状態とすることもできる。
このようにすれば、放散器本体２の下面と横向面Ｂとの間に隙間が形成され、その隙間を通して吸込口に空気を吸い込みできる。
【００３６】
本発明に用いられる装飾物として、花、観葉植物、草花、などの人工花、草、木や犬、猫、鳥、魚、蝶、などの創作動物、昆虫や果実、乗物、人形、ぬいぐるみ、写真、など見て美しい物、楽しいもの、癒やすもの、好きなもの、などが挙げられる。
例えば、造花例としては壁掛け調、花輪調、コサージュ調、ブーケ緒、髪飾り調、寄せ花調、花瓶等挿し花調、一輪挿し調、枝垂調、などのオリジナル造花が挙げられる。
【００３７】
本発明の薬剤含浸体４ｂの材質として無機質及び有機質の成形材料から成形されたものとしては、紙類（パルプ、リンター、合成紙など）、木製類（おがくずなど）、セラミック、繊維類（化学繊維、ガラス繊維、炭素繊維など）、天然繊維（木綿、羊毛、絹、麻など）、樹脂類（ポリエチレン、ポリプロピレン、レーヨン、ビスコース、高吸油性ポリマーなど）、その他各繊維からの不織布、天然植物等の乾燥物などが挙げられる。成形物の形状としては、有効面積の大きいものが好ましく、粒状、線状、糸状などが例示できる。また、通気性の大きいものが好ましく、ビーズ形、網形、ハニカム形、すのこ形、格子形などが例示できる。
また、薬剤含浸体４ｂを送風機のファンに保持しても良い。
また、薬剤として前記のように薬効成分を含浸体に含浸した薬剤含浸体の他に、薬効成分を適当な溶剤、例えばノルマルパラフィン、イソパラフィン、ナフテン系炭化水素等の石油系溶剤に溶解した油性薬剤、又は水、界面活性剤等を用いて可溶化させた水性薬液を収容した薬剤ボトルでも良い。
【図面の簡単な説明】
【００３８】
【図１】本発明の第１の実施の形態を示す正面図である。
【図２】本発明の第１の実施の形態を示す側面図である。
【図３】本発明の第１の実施の形態を示す薬剤放散器の断面図である。
【図４】本発明の第１の実施の形態を示す背面図である。
【図５】本発明の第２の実施の形態を示す正面図である。
【図６】本発明の第２の実施の形態を示す側面図である。
【図７】本発明の第２の実施の形態を示す薬剤放散器の断面図である。
【図８】装飾物取付部と被取付部の異なる実施の形態を示す斜視図である。
【図９】本発明の第３の実施の形態を示す正面図である。
【図１０】本発明の第３の実施の形態を示す側面図である。
【図１１】本発明の第４の実施の形態を示す正面図である。
【図１２】本発明の第４の実施の形態を示す側面図である。
【図１３】本発明の第４の実施の形態を示す断面図である。
【図１４】本発明の第５の実施の形態を示す正面図である。
【図１５】本発明の第５の実施の形態を示す断面図である。
【図１６】本発明の第６の実施の形態を示す正面図である。
【図１７】本発明の第６の実施の形態を示す平面図である。
【符号の説明】
【００３９】
１…薬剤放散器、２…放散器本体、３…送風機、４…薬剤、５…吸込口、６…放出口、１０…装飾物、１１…固着手段、１２…取付部材、１３…被取付部、１４…取付用突起、１５…リング枠、１６…鉤片、２０…装飾物取付部、２２…穴、２３…突出凸部、２４…コ字状片、２５…凹陥部、３０…装飾物取付部材、３３…カバー体、３４…筒状体、４０…外向湾曲部、４１…筒体、４２…凹陥部。
【図１】
2007175091.tif 000003
【図２】
2007175091.tif 000004
【図３】
2007175091.tif 000005
【図４】
2007175091.tif 000006
【図５】
2007175091.tif 000007
【図６】
2007175091.tif 000008
【図７】
2007175091.tif 000009
【図８】
2007175091.tif 000010
【図９】
2007175091.tif 000011
【図１０】
2007175091.tif 000012
【図１１】
2007175091.tif 000013
【図１２】
2007175091.tif 000014
【図１３】
2007175091.tif 000015
【図１４】
2007175091.tif 000016
【図１５】
2007175091.tif 000017
【図１６】
2007175091.tif 000018
【図１７】
2007175091.tif 000019